(57)【要約】【課題】うがい鉢を患者の体型に合せた最適の位置に自動的に移動する。【解決手段】歯科治療椅子１の側方に固定配設されたスピットン装置２と、該スピットン装置３に回動自在に取り付けられたスピットンアーム３から成り、うがい時、前記スピットンアーム３に配設されたうがい鉢８がうがい位置に移動されて患者がうがいし易い位置に調整される。前記スピットンアーム３の回動位置を記憶するメモリと、うがい用のコップ８の有無を検出するセンサとを有し、うがい鉢９がうがいし易い位置に回動され、コップ８が持ち上げられた時に、前記メモリにスピットンアーム３の回動位置を記憶し、以降、うがい時、前記うがい鉢９が前記記憶した回動位置に自動的に回動停止される。【選択図】図１
2010099128.tif 000002
【特許請求の範囲】
【請求項１】
歯科治療椅子と、該歯科治療椅子の側方に固定配設されたスピットン装置と、該スピットン装置に回動自在に配設されたスピットンアームと、該スピットンアームに着脱自在に配設されるうがい鉢から成り、うがい時、前記スピットンアームが回動されて前記スピットン鉢が患者がうがいし易い位置に調整されるようにした歯科治療ユニットにおいて、前記スピットンアームの回動位置を記憶するメモリと、うがい用のコップが持ち上げられたことを検出するセンサとを有し、前記スピットン鉢がうがいし易い位置に回動され、前記コップが持ち上げられた時に、前記メモリにスピットン鉢の回動位置を記憶し、以降、うがい時、前記スピットン鉢が前記記憶した回動位置に自動的に回動停止されることを特徴とする歯科治療ユニット。
【請求項２】
前記メモリに記憶された回動位置は、前記歯科治療椅子から患者が降りた時に消去されることを特徴とする請求項１に記載の歯科治療ユニット。
【請求項３】
前記スピットンアームには、前記うがい用のコップを載置部及び該コップにうがい水を供給するための給水管を有し、該給水管に前記コップが持ち上げられたことを検知する非接触式のセンサが設けられていることを特徴とする請求項１又は２に記載の歯科治療ユニット。
【発明の詳細な説明】
【技術分野】
【０００１】
本発明は、歯科治療ユニット、より詳細には、患者が座って治療を受ける歯科治療椅子と、該歯科治療椅子の側方に固定配設されたスピットン装置とから成り、うがい時、前記スピットンアームが回動されて前記スピットン鉢が患者がうがいし易い位置に調整されるようにした歯科治療ユニットにおいて、前記スピットンアームを患者がうがいし易い位置に移動調整した後、うがい用コップが持ち上げられた時に、前記スピットン鉢の回動調整された回動位置をメモリに記憶し、以降、当該歯科治療椅子から患者が降りるまで、うがい毎に、前記スピットン鉢は前記メモリに記憶された回動位置に自動的に回動されるようにしたものである。
【背景技術】
【０００２】
図１は、本発明が適用される（又は、本発明が適用された）スピットン装置を備えた歯科治療ユニットの一例を説明するための概略構成図で、該歯科治療ユニットは、歯科治療椅子１，スピットン装置２，スピットンアーム３，ワークテーブル４，インスツルメントホルダ５等から成り、インスツルメントホルダ５には、歯科治療において使用する種々のインスツルメント６が収納されており、周知のように、歯科治療に当り、患者は治療椅子１に座り、頭を安頭台に固定して治療を受ける。治療中、術者は治療椅子１を上下動，倒起動，傾斜動等させて、患者を治療しやすい姿勢にして治療を行う。
【０００３】
スピットンアーム３は、うがい水を噴出するためのうがい水給水管７，うがい水給水時にうがい用のコップ８を置くコップ置き部３１，患者がうがいした後のうがい水を吐出するためのうがい鉢９を置くうがい鉢載置部３２等から成り、通常は、図示のように、スピットン装置２の上部に回動自在に取り付けられており、うがい時、矢印Ａ方向に回動され、換言すれば、患者の前にうがい鉢９が来るようにして、患者がうがいしやすい位置にするようにしている。
【発明の開示】
【発明が解決しようとする課題】
【０００４】
上述のように、歯科治療においては、うがい時、うがい鉢を患者の前に自動的に移動して、患者がうがいし易いようにしているが、スピットンアーム３の回転位置（停止位置）は固定で、子供や妊婦など体型によっては窮屈になったり、離れすぎてしまったりして適切に対応できなかった。
【０００５】
本発明は、上述のごとき実情に鑑みてなされたもので、スピットン装置２に自動回転アーム３を用いている場合に、スピットンアーム３の回動位置を患者の体型等に合せて調整するとともに、その調整位置を記憶し、以降のうがい時、スピットンアームが記憶された調整位置に自動的に回動されるようにし、うがい鉢９がそれぞれの患者に合ったうがいポジションにくるようにすることを目的としてなされたものである。
【課題を解決するための手段】
【０００６】
請求項１の発明は、歯科治療椅子と、該歯科治療椅子の側方に固定配設されたスピットン装置と、該スピットン装置に回動自在に配設されたスピットンアームと、該スピットンアームに着脱自在に配設されるうがい鉢から成り、うがい時、前記スピットンアームが回動されて前記スピットン鉢が患者がうがいし易い位置に調整されるようにした歯科治療ユニットにおいて、前記スピットンアームの回動位置を記憶するメモリと、うがい用のコップが持ち上げられたことを検出するセンサとを有し、前記スピットン鉢がうがいし易い位置に回動され、前記コップが持ち上げられた時に、前記メモリにスピットン鉢の回動位置を記憶し、以降、うがい時、前記スピットン鉢が前記記憶した回動位置に自動的に回動停止されることを特徴としたものである。
【０００７】
請求項２の発明は、請求項１の発明において、前記メモリに記憶された回動位置は、前記歯科治療椅子から患者が降りた時に消去されることを特徴としたものである。
【０００８】
請求項３の発明は、請求項１又は２の発明において、前記スピットンアームには、前記うがい用のコップを載置部及び該コップにうがい水を供給するための給水管を有し、該給水管に前記コップが持ち上げられたことを検知する非接触式のセンサが設けられていることを特徴としたものである。
【発明の効果】
【０００９】
うがい鉢のうがい位置を、一旦、患者の体型に合せて調整・記憶した後は（ラストポジションが記憶された後は）、以降のうがい時、うがい鉢は、その調整・記憶されたうがい位置（ラストポジション）に自動的に移動されるので、うがいの度に体勢を整えたり、うがい鉢の位置を調整したりする手間が省け、患者の体型に左右されることなく、スムーズにうがいをしてもらうことができる。
【発明を実施するための最良の形態】
【００１０】
図１に示した歯科治療ユニットにおいては、患者が歯科治療椅子１に座ると、通常、スピットアーム３が回動してうがい鉢９が患者の前に回動してきて、うがいカップ８に給水管３１よりうがい水が注がれる。患者は、うがいカップ８を取り上げ、うがいを行うが、従来は、前述のように、患者の体型等に関係なくスピットンアーム３の回転（移動）位置が予め決められて固定しており、子供や妊婦など患者の体型によっては窮屈になったり、離れすぎたりして必ずしも最適な位置ではなく、アシスタントが手動にて最適な位置に調整するようにしていた。しかも、このスピットンアーム３の回動位置の調整は、患者がうがいをする度に行わなければならず、非常に不便なものであった。
【００１１】
本発明は、上述のごとき従来技術の欠点を解消するためになされたもので、具体的には、スピットン装置に自動回転アーム３を用いている歯科治療ユニットにおいて、スピットンアーム３の回転部に、例えば、ロータリーエンコーダを取り付けることにより、スピットンアーム３（うがい鉢）の回転位置を記憶し、以降、その記憶位置にスピットンアーム３を回動するようにして、それぞれの患者にあったうがいポジションを提供するもので、スピットンアーム３の回転位置は、給水コップ８の有無を、例えば、給水管７に取り付けた超音波センサで検出し、コップを持ち上げたときの位置をうがい鉢９のラストポジションとして記憶し、以降、この記憶位置にスピットンアーム３を回動するようにしたものである。
【００１２】
なお、スピットンアーム３の回転を検出し、記憶する手段は、ロータリーエンコーダに限らず、周知の任意所望の検出・記憶手段を用いて行うことが可能であり、また、コップ８を持ち上げたことを検出する手段も、超音波センサに限らず、周知の任意所望の非接触手段を用いて行うことが可能である。
【００１３】
治療が終わると、患者は、歯科治療椅子１から下りるが、その際、治療椅子１は患者が降りやすいように最下位置まで下降されるので、治療椅子１が最下位置に下降された時に、前記記憶手段に記憶された回転位置をリセット（消去）して、次の患者に備え、以降、同様にして次の患者に合ったスピットンアームの回動位置を決める。
【図面の簡単な説明】
【００１４】
【図１】本発明が適用される或いは適用された歯科治療ユニットの一例を説明するための構成図である。
【符号の説明】
【００１５】
１…歯科治療椅子、２…スピットン装置、３…スピットンアーム、３１…うがい鉢配置部、３２…うがいコップ配置部、７…うがい水給水管、８…うがい用コップ、９…うがい鉢。
【図１】
2010099128.tif 000003